(57)【特許請求の範囲】
【請求項１】
ＬＣＤ、および、メッセージが受信されたことを使用者に知らせる受信メッセージ通知機能を有する移動通信端末機のメッセージディスプレイ方法であって、
メッセージを受信すると、前記ＬＣＤの前記受信メッセージ通知機能における初期画面にメッセージが受信されたことを示すメッセージアイコンを表示する工程と、
使用者により第１キーが入力されると、前記受信されたメッセージの内容を前記ＬＣＤの前記初期画面に表示する工程と、
使用者により第２キーが入力されると、前記表示されたメッセージの内容を自動的にスクロール表示する工程と、を順次行うようになっており、
所定時間の間、前記第１キーの入力が感知されないと、受信されたメッセージの内容を前記ＬＣＤの前記初期画面上に直ちに自動的にスクロール表示することを特徴とする、移動通信端末機のメッセージディスプレイ方法。
【請求項２】
前記第１キーはサイドキーであり、前記第２キーは前記サイドキーの上下キーであることを特徴とする、請求項１に記載の移動通信端末機のメッセージディスプレイ方法。
【請求項３】
前記受信されたメッセージの内容を表示する工程は、前記サイドキーの入力が感知されると実施され、
前記表示されたメッセージの内容をスクロール表示する工程は、前記サイドキーの上下キーが入力されると実施されることを特徴とする、請求項２に記載の移動通信端末機のメッセージディスプレイ方法。
【請求項４】
前記メッセージの内容は、１ラインずつ上下にスクロールされることを特徴とする、請求項３に記載の移動通信端末機のメッセージディスプレイ方法。
【発明の詳細な説明】
【０００１】
【発明の属する技術分野】
本発明は、移動通信端末機に係り、詳しくは、移動通信端末機のメッセージディスプレイ方法に関する。
【０００２】
【従来の技術】
一般に、移動通信端末機（以下、端末機と略称する）は、ＬＣＤ画面の上方側に数字またはアイコンを表示して、使用者に音声及び文字メッセージが受信されたことを知らせる受信メッセージ通知機能を提供する。
【０００３】
このように使用者に受信メッセージを通知するための従来移動通信端末機のメッセージディスプレイ方法に対し、図４Ａ〜図４Ｄに基づいて説明する。
【０００４】
先ず、図４Ａに示したように、メッセージが受信されると、ＬＣＤ画面の上方側にアイコンやメッセージの個数を表示する。例えば、文字メッセージが３つ受信されると、文字：３を表示し、音声メッセージが２つ受信されると、音声：２を表示する。この時、メッセージ受信音が設定された場合は、メッセージの受信と同時に特定メロディーを出力して使用者にメッセージの受信を通報する。
【０００５】
次いで、図４Ｂに示したように、使用者がメッセージ確認キーを押すと、３個のサブメニューが表示され、表示されたサブメニューから使用者が希望するサブメニュー、例えば、文字メッセージを選択すると、図４Ｃに示したように、ＬＣＤ画面に現在まで受信された文字メッセージのリストが表示される。
【０００６】
次いで、使用者が移動キーを利用してメッセージリストの中から所望の文字メッセージを選択して、特定文字メッセージを選択すると、図４Ｄに示したように、ＬＣＤ画面にはメッセージ内容及び発信者の電話番号などが詳しく表示される。若し、メッセージ内容が長い場合は、移動キーを押してメッセージ内容をスクロールさせる。
【０００７】
次いで、使用者は、貯蔵及び削除キーを利用して受信されたメッセージ、メッセージの種類及び個数を電話帳に貯蔵または削除していた。
【０００８】
【発明が解決しようとする課題】
然るに、このような従来移動通信端末機のメッセージディスプレイ方法においては、メッセージが受信されると、ＬＣＤ画面に単にメッセージの受信時間及び個数だけが表示されるため、受信者は発信者に対する詳細情報（発信者名、発信者ＩＤ及び電話番号）が分からず、発信者がメッセージに対する詳細情報を確認しようとする場合は、電子手帳等の機能メニューから選択しなければならないという不都合な点があった。
【０００９】
且つ、従来移動通信端末機のメッセージディスプレイ方法においては、メッセージを受信した時、少なくとも５回以上のキー操作を行わないと、所望のメッセージ内容を確認することができないという不都合な点があった。
【００１０】
また、従来移動通信端末機のメッセージディスプレイ方法においては、複数個のキーを利用してメッセージの確認、選択及び貯蔵動作を行うべきであるため、極めて煩雑であるという不都合な点があった。
【００１１】
更に、従来移動通信端末機のメッセージディスプレイ方法においては、端末機がフォルダー型である場合、一旦フォルダーを開いた後、キーを操作してＬＣＤ画面に表示されるメッセージを一々確認すべきであるため、極めて煩雑であるという不都合な点があった。
【００１２】
本発明は、このような従来の課題に鑑みてなされたもので、メッセージ情報をＬＣＤ画面に自動的にスクロールし得る、移動通信端末機のメッセージディスプレイ方法を提供することを目的とする。
【００１３】
本発明の他の目的は、メッセージ内容を外部ＬＣＤに自動的にスクロールし得る、移動通信端末機のメッセージディスプレイ方法を提供しようとする。
【００１４】
本発明のその他の目的は、メッセージを受信した時、最小限のキー操作によってメッセージの内容を確認し得る、移動通信端末機のメッセージディスプレイ方法を提供しようとする。
【００１５】
本発明のその他の目的は、１個のホットキーを操作することで全てのメッセージ処理動作を行い得る、移動通信端末機のメッセージディスプレイ方法を提供しようとする。
【００１６】
【課題を解決するための手段】
本発明の移動通信端末機のメッセージディスプレイ方法は、ＬＣＤ、および、メッセージが受信されたことを使用者に知らせる受信メッセージ通知機能を有する移動通信端末機のメッセージディスプレイ方法であって、メッセージを受信すると、前記ＬＣＤの前記受信メッセージ通知機能における初期画面にメッセージが受信されたことを示すメッセージアイコンを表示する工程と、使用者により第１キーが入力されると、前記受信されたメッセージの内容を前記ＬＣＤの前記初期画面に表示する工程と、使用者により第２キーが入力されると、前記表示されたメッセージの内容を自動的にスクロール表示する工程と、を順次行うようになっており、所定時間の間、前記第１キーの入力が感知されないと、受信されたメッセージの内容を前記ＬＣＤの前記初期画面上に直ちに自動的にスクロール表示することを特徴とする。
【００１７】
前記第１キーはサイドキーであり、前記第２キーは前記サイドキーの上下キーであることを特徴としてもよい。
【００１８】
前記受信されたメッセージの内容を表示する工程は、前記サイドキーの入力が感知されると実施され、前記表示されたメッセージの内容をスクロール表示する工程は、前記サイドキーの上下キーが入力されると実施されることを特徴としてもよい。
【００１９】
前記メッセージの内容は、１ラインずつ上下にスクロールされることを特徴としてもよい。
【００３９】
【発明の実施の形態】
以下、本発明の実施の形態に対し、図面を用いて説明する。
【００４０】
本発明は、メッセージが受信されると、電光板機能と類似するように、受信されたメッセージ情報をＬＣＤ（内部または外部のＬＣＤ）面に自動的、または、選択的にスクロールさせることによって、メッセージ確認キーを操作しなくてもＬＣＤ窓を介してメッセージの種類及び発信者を確認し得ることを特徴とする。そのために、標準規格に従って発信者のＩＤ及び名前を受信者に伝達する発信者確認（Ｃａｌｌｅｒ  Ｉｄｅｎｔｉｆｉｃａｔｉｏｎ：ＣＩＤ）機能が端末機に支援される。
【００４１】
且つ、本発明は、メッセージ情報をスクロールさせるために、初期画面の表示情報（日にち、時間、曜日及び挨拶の言葉）の表示形式を変化させ、例えば、挨拶の言葉を表示させないか、または、メッセージ情報の表示空間を確保するために文字の大きさ及び位置を変更させる。
【００４２】
以下、本発明に係る移動通信端末機のメッセージディスプレイ方法の第１実施形態に対し、図１Ａ〜図１Ｄ及び図２に基づいて説明する。
【００４３】
先ず、メッセージが受信されると、端末機は、メッセージ情報を検出して（Ｓ１０）、図１Ａ、図１Ｂに示したように、ＬＣＤの下方側（または、上方側）にメッセージの種類、メッセージリスト及び発信者情報（電話番号、名前、ＩＤ及びキャラクター）を周期的に左から右に（または、右から左に）スクロールさせながら表示する（Ｓ１１）。この時、前記スクロール機能は、ソフトウェアタイマー（プログラムによって指定された時間の間だけ作動する機能）によって処理され、別途のサウンド機能を追加して、連続的に受信されたメッセージを順次表示することもできる。
【００４４】
また、ＬＣＤに表示される表示項目としては、図１Ｂに示したように、メッセージの種類、ＩＤ及びキャラクターが同時に表示されるが、ここで、前記表示項目の数は、図１Ｃに示したように、使用者メニューから多様に設定することができる。
【００４５】
即ち、使用者は、メッセージ目録、電話番号、発信者名前、発信者ＩＤ、メッセージ種類及び発信者キャラクターのような表示項目中、少なくとも１個以上を選択することが可能で、スクロール表示項目が設定されてない場合は、発信者の名前及び電話番号が自動的にスクロールされる。
【００４６】
次いで、使用者は、ホットキーを利用して現在スクロールされているメッセージ中、所望のメッセージを選択し、ホットキーが入力されると、図１Ｄに示したように、端末機は使用者によって選択されたメッセージの内容をＬＣＤに表示する。この時、前記ＬＣＤは、端末機の内部または外部ＬＣＤで、前記ホットキーは、文字受信キー、または、サイドキーである。
【００４７】
この時、選択されたメッセージが音声メッセージ、または、音声メモである場合、制御部はボコーダ及びコデック（ＣＯＤＥＣ）を制御して音声データを確認する。
【００４８】
一方、ホットキーの入力が感知されない場合、制御部は、次のメッセージを表示した後、全ての工程を終了する。
【００４９】
次いで、使用者は、同じホットキーを利用して電話帳に発信者のＩＤ、名前、電話番号、電子メールアドレス、音声／文字メッセージの個数及び音声メモの個数を更新するか、または、新たに登録する。また、メッセージを削除する時は終了キーを押す。
【００５０】
このような本発明に係る移動通信端末機のメッセージディスプレイ方法の第１実施形態は、メッセージが受信されるとメッセージ情報をＬＣＤ画面に自動的にスクロールさせ、１個のホットキーを利用して受信メッセージの選択及び貯蔵動作を行う。
【００５１】
そして、本発明に係る移動通信端末機のメッセージディスプレイ方法の第２実施形態に対し、図３に基づいて説明する。
【００５２】
先ず、メッセージが受信されると、端末機は、メッセージ情報を検出して、外部ＬＣＤにメッセージアイコンを表示する（Ｓ２０〜Ｓ２２）。
【００５３】
次いで、端末機は、使用者がサイドキーを入力するかをチェックして（Ｓ２３）、所定時間（約３秒）内にサイドキーの入力が感知されないと、受信されたメッセージ内容を外部ＬＣＤに自動的に表示する。即ち、タイマーがタイムアウトされると、メッセージアイコンは消えて自動的にメッセージ内容は１ラインずつ外部ＬＣＤにスクロールされる（Ｓ２６）。
【００５４】
一方、前記工程（Ｓ２３）で、サイドキーの入力が感知されると、端末機は外部ＬＣＤにメッセージ内容を表示し、この状態で使用者がサイドキーの上下キーを押すと、該当キーの入力によって前記表示されたメッセージ内容がスクロールされながら表示される。
【００５５】
なお、このような本発明に係る移動通信端末機のメッセージディスプレイ方法の第２実施形態は、外部ＬＣＤに限定されず、内部ＬＣＤに適用しても同一効果を奏することができる。
【００５６】
【発明の効果】
以上説明したように、本発明に係る移動通信端末機のメッセージディスプレイ方法においては、メッセージ情報またはメッセージ内容を内部または外部ＬＣＤに自動的、または、選択的にスクロールさせるので、使用者はメッセージ確認キーを操作せずにＬＣＤ窓を介してメッセージの種類及び発信者を直接確認し得るという効果がある。
【００５７】
また、本発明に係る移動通信端末機のメッセージディスプレイ方法においては、メッセージを受信した時、最小限のキー操作によりメッセージ内容を確認することが可能で、特に、１個のホットキーを使用して全てのメッセージ関連動作を行うため、極めて便利である。
【図面の簡単な説明】
【図１Ａ】本発明に係る移動通信端末機のメッセージディスプレイ方法の第１実施形態を示した図である。
【図１Ｂ】本発明に係る移動通信端末機のメッセージディスプレイ方法の第１実施形態を示した図である。
【図１Ｃ】本発明に係る移動通信端末機のメッセージディスプレイ方法の第１実施形態を示した図である。
【図１Ｄ】本発明に係る移動通信端末機のメッセージディスプレイ方法の第１実施形態を示した図である。
【図２】図１において、発信者情報をスクロール方式で表示するためのフローチャートである。
【図３】本発明に係る移動通信端末機のメッセージディスプレイ方法の第２実施形態を示したフローチャートである。
【図４Ａ】従来移動通信端末機のメッセージディスプレイ方法を示した図である。
【図４Ｂ】従来移動通信端末機のメッセージディスプレイ方法を示した図である。
【図４Ｃ】従来移動通信端末機のメッセージディスプレイ方法を示した図である。
【図４Ｄ】従来移動通信端末機のメッセージディスプレイ方法を示した図である。
【図１Ａ】
0003713235.tif 000002
【図１Ｂ】
0003713235.tif 000003
【図１Ｃ】
0003713235.tif 000004
【図１Ｄ】
0003713235.tif 000005
【図２】
0003713235.tif 000006
【図３】
0003713235.tif 000007
【図４Ａ】
0003713235.tif 000008
【図４Ｂ】
0003713235.tif 000009
【図４Ｃ】
0003713235.tif 000010
【図４Ｄ】
0003713235.tif 000011